(57)【要約】【課題】  使い勝手を向上した放送受信端末を提供する。【解決手段】  放送受信端末は、受信した放送データに文字情報が含まれているときや、放送データがコピー可能なデータであるとき、受信したデータとともに、受信したデータをメールに貼付あるいは添付することをユーザーが指示する際に用いられる画面表示を表示し、ユーザーが画面表示を選択したとき、放送データをメールに貼付あるいは添付して送信する。【選択図】  図２
2006262034.tif 000002
【特許請求の範囲】
【請求項１】
表示部を備えた放送受信端末であって、
メールを送信可能な通信部と、
放送データを受信する受信部と、
前記受信部により受信した放送データに文字情報が含まれているとき、受信した文字情報とともに、ユーザーが前記文字情報をメールの一部に用いることを指示する際に用いられる画面表示を前記表示部に表示するように制御し、ユーザーの操作により前記画面表示が選択されたとき、前記文字情報を含むメールを生成するように制御する制御部と、を備え、
前記通信部は前記生成されたメールを送信することを特徴とする放送受信端末。
【請求項２】
請求項１に記載の放送受信端末は、キーワードを記憶する記憶部を備え、
前記表示部に表示される文字情報は、前記記憶部に記憶されたキーワードに関連した情報であることを特徴とする放送受信端末。
【請求項３】
前記表示部に表示される文字情報は、コピー可能な情報であることを特徴とする請求項１または２に記載の放送受信端末。
【請求項４】
前記表示部は、ユーザーの操作により前記画面表示が選択されたとき、前記制御部は前記生成したメールを前記表示部に表示するように制御することを特徴とする請求項１ないし３のいずれかに記載の放送受信端末。
【請求項５】
前記制御部は、前記受信部により受信した放送データに文字情報が含まれていないとき、前記画面表示を表示部に表示しないように制御することを特徴とする請求項１ないし４のいずれかに記載の放送受信端末。
【請求項６】
前記画面表示は、貼付ボタンであることを特徴とする請求項１ないし５のいずれかに記載の放送受信端末。
【請求項７】
メールを送信可能な通信部と、
放送データを受信する受信部と、
前記受信部により受信した放送データの少なくとも一部を表示可能な表示部と、
前記受信部により受信した放送データがコピー可能なものであるとき、ユーザーが前記表示部に表示された放送データをメールに貼付あるいは添付することを指示する際に用いられる画面表示を前記表示部に表示するように制御し、ユーザーの操作により前記画面表示が選択されたとき、前記放送データをメールに貼付あるいは添付するように制御する制御部と、を備え、
前記通信部は前記放送データを貼付あるいは添付されたメールを送信することを特徴とする放送受信端末。
【請求項８】
データを送信可能な送信部と、
データを受信可能な受信部と、
前記受信部により受信したデータの少なくとも一部を表示可能な表示部と、
前記受信部により受信したデータがコピー可能なものであるとき、ユーザーが前記表示部に表示されたデータを前記送信部により送信するデータに貼付あるいは添付することを指示する際に用いられる画面表示を前記表示部に表示するように制御し、ユーザーの操作により前記画面表示が選択されたとき、前記受信部により受信したデータの少なくとも一部を含めたデータを生成し、前記送信部により生成されたデータを送信するように制御する制御部と、
を備えていることを特徴とする情報処理装置。
【請求項９】
前記表示部に表示されたデータは、文字情報であることを特徴とする請求項８に記載の情報処理装置。
【請求項１０】
請求項８に記載の情報処理装置は、キーワードを記憶する記憶部を備え、
前記表示部に表示されたデータは、前記記憶部に記憶されたキーワードに関連した情報であることを特徴とする情報処理装置。
【請求項１１】
前記制御部は、前記受信部により受信したデータがコピー不可なものであるとき、前記画面表示を前記表示部に表示しないように制御することを特徴とする請求項８ないし１０のいずれかに記載の情報処理装置。
【発明の詳細な説明】
【技術分野】
【０００１】
本発明は、放送を受信可能な放送受信端末および情報処理装置に関するものである。
【背景技術】
【０００２】
特許文献1には、番組放送中に告知されたホームページのＵＲＬや電子メールアドレスを番組データと共に保存可能なテレビジョン放送受信装置が開示されている。また、特許文献２には、受信した電子メールにＵＲＬが記載されている場合は、自動的にURLを保存する電子メールシステムが開示されている。このシステムでは、登録されたURLの１つを選択すると、ブラウザにホームページを表示したり、選択されたＵＲＬが記載された電子メールの内容を画面表示したりする。
【０００３】
【特許文献１】特開2004-104640号公報
【特許文献２】特開平11-161584号公報
【発明の開示】
【発明が解決しようとする課題】
【０００４】
上記方法では、受信したテレビジョン放送内のURLや電子メールアドレスなどの文字情報を自動的に蓄積し、後で蓄積した情報を利用することができる。しかし、このように文字情報を次々と保存しただけでは、後で利用する場合に所望の情報を探す必要があり、受信した放送データを効率的に利用する方法が求められている。また、放送を視聴中に放送データを利用するためのユーザーの使い勝手の向上が必要とされている。
【０００５】
そこで、上記課題を解決し、ユーザーの使い勝手を向上した放送受信端末および情報処理装置を提供することを目的とする。
【課題を解決するための手段】
【０００６】
上記課題を解決するため、本発明にかかる放送受信端末は、受信した放送データに文字情報が含まれているときや、放送データがコピー可能なデータであるとき、受信したデータとともに、受信したデータをメールに貼付あるいは添付することをユーザーが指示する際に用いられる画面表示を表示し、ユーザーが画面表示を選択したとき、放送データをメールに貼付あるいは添付して送信する。
【発明の効果】
【０００７】
使い勝手を向上した放送受信端末および情報処理装置を提供することができる。
【発明を実施するための最良の形態】
【０００８】
図1は、放送受信端末の構成例を示すものである。キー入力部101は、数字キーやファンクションキーにより構成されており、ユーザーが文字や数字などのデータ入力や、指示を入力する際に用いられる。なお、本実施例ではキー入力部101を備えるが、ユーザーが指示等を入力する操作部をこれに限定するものではなく、音声入力部やタッチセンサーを代わりに備えるようにしても良い。また、複数の操作方法を組合せて用いることにより、使用形態に合わせてユーザーは入力方法を選択することができる。デコード部102は、文字情報や映像情報、音声情報などのデコード処理を行う。表示部103は、デコード後の文字情報や映像情報、メール作成画面などを表示する液晶表示装置などの装置である。制御部104は、CPU（Central Processing Unit）などの処理装置で構成され、キー入力部101により入力された指示や、記憶部105に記憶されたプログラムに応じて、端末内の各構成を制御する。記憶部105は、制御部104で実行されるプログラムや、送受信したメールや作成途中のメール、電話番号やメールアドレス等の情報を記憶する。記憶部105は、例えばメモリＩＣやハードディスクにより構成される。但し、記憶部105は端末に内蔵されたものに限らず、着脱可能なメモリカードや外部より接続された記憶装置等で実現してもよい。通信部106はメール等の情報の送受信に用いられ、チューナー部107は放送データの受信に用いられる。
【０００９】
ここで、放送データには、映像情報や音声情報のほかに文字情報が含まれ、文字情報には番組情報や字幕情報が含まれる。番組情報とは、放送される番組の番組名や出演者、番組のホームページに接続するためのリンク情報などである。字幕情報は、ドラマの字幕など番組内容に同期した情報と、大雨警報や地震情報など、番組内容とは直接関係無い情報の両方を含む。また、映像情報には、MPEG(Moving Picture Experts Group)のように画像の圧縮が行われているものが含まれるものとする。
【００１０】
図2は、放送視聴中のメール作成処理の一例を示すフローチャートである。このメール作成処理は、記憶部105に記憶されたプログラムに従って、制御部104により実行される。なお、制御プログラムは、記憶部105に予め記憶されているものに限らず、ユーザーが放送受信端末を購入後にプログラムをインストールするようにしても良い。
【００１１】
ユーザーがキー入力部101を操作することにより、テレビ視聴モードを起動すると（Ｓ201）、図３（ａ）に示すように、表示部103の画面上にテレビ表示領域301が設けられ、デコード部102によりデコードされた映像をテレビ表示領域301に表示する（Ｓ202）。
【００１２】
そして、放送データに文字情報が含まれるか否かを判別し（Ｓ203）、文字情報が含まれる場合、受信した放送データがコピー可能な情報かを判別する（S204）。受信した放送データに、放送受信端末内への放送データの保存可否を指定するコピー制限情報が付加されている場合がある。コピー制限情報とは、例えば、受信した情報がコピー可（コピーフリー）、あるいは一世代コピー可（コピーワンス）、コピー禁止（コピーネバー）であることを示す情報である。なお、コピー可の情報とは、放送受信端末内に保存でき、端末の外部へ情報を持ち出すことが可能なものであり、例えば、保存した放送データをメールに添付して、外部へ送信したり、着脱可能なメモリに情報を記録したりすることができる。また、一世代コピー可の情報とは、受信端末内に保存する事は可能だが、外部へ持ち出すことができないものである。また、コピー禁止の情報とは、受信端末内にも保存することができないものである。
【００１３】
受信した放送データにコピー制限情報が付加されていない場合やコピー可を示す情報が付加されている場合、図3（ｂ）に示すようにテレビ表示領域を狭くし、画面上に文字表示領域302を設ける。そして、デコード部102によりデコードされた字幕を字幕表示領域302に表示するとともに、表示画面上にメール本文へ字幕の貼り付けを指示する「貼り付け」ボタン303を表示する（Ｓ205）。
【００１４】
なお、字幕表示領域302に字幕を表示する際、デコードされた文字データを記憶部105に記憶する。
【００１５】
記憶部105に記憶する文字データは、JIS文字コード（図形文字とそれらのビット組合せとの対応を規定している）であっても良いし、表示部に表示する際のビットマップファイルなどであっても良い。
【００１６】
一方、放送データがコピー禁止（コピーネバー）や一世代コピー可（コピーワンス）の場合には、表示画面に字幕表示領域302を表示する際に、「貼り付け」ボタン303を表示しないように制御する（S206）。このように、メール作成に文字情報を用いることができる場合にのみ「貼り付け」ボタン303を表示することにより、放送データの著作権を尊重することができるとともに、放送データをメール作成に用いることができないことをユーザーに知らせることができる。但し、受信した放送データがコピー禁止（コピーネバー）や一世代コピー可（コピーワンス）のデータの場合の制御方法をこれに限定するものではない。コピー可のデータを受信したときと同様に、「貼り付け」ボタンを表示し、ボタンが選択されると、「貼り付けできません」等のメッセージを表示するようにしても良いし、「貼り付け不可」等の表示を「貼り付け」ボタンの代わりに表示するようにしても良い。また、一世代コピー可（コピーワンス）のデータの場合には、貼り付けが指示されると、「放送データを送信すると、放送受信端末内のデータが削除されますが、よろしいでしょうか？」等のメッセージを表示し、ユーザーが送信要求を入力した場合には、端末内のデータを削除し、放送データを貼り付けたメールを送信するようにしても良い。
【００１７】
なお、図２のフローチャートに図示していないが、順次受信する放送データに新たな文字情報が含まれている場合には、字幕表示領域302に表示する字幕を順次更新するものとする。なお、本実施例では、新たな文字情報を受信するか否かにかかわらず、画面上に字幕表示領域をそのまま設けておくように制御する。しかし、制御方法をこれに限定するものではなく、例えば５分間等の所定時間、新たな文字情報の受信がない場合には、字幕表示領域を消去し、テレビ表示領域を拡大して表示するようにしても良い。このように制御することにより、文字情報がない場合にはより大きな領域で映像を見ることができる。
【００１８】
また、本実施例では、なるべくテレビ表示領域を大きくとるために、放送データに文字情報が含まれていない場合は字幕表示領域を設けないようにしたが、表示方法をこれに限定するものではない。放送視聴モードが起動されると、文字情報の有無にかかわらず、テレビ表示領域とともに字幕表示領域を画面上に設けるようにしても良い。また、テレビ表示領域と字幕表示領域のように別々の領域を設けずに、映像と文字を重畳して表示することにより、１つの表示領域に表示するようにしても良い。
【００１９】
受信した放送データがコピー可能なものである場合に、ユーザーがキー入力部101を操作することにより「貼り付け」ボタン303を選択すると（S207）、図３（ｃ）に示すように、表示画面上にメール作成画面表示領域304を設け、字幕をメール作成画面表示領域304に表示するとともに、「送信」ボタン305を表示する（S208）。この際に、図に示すように、貼り付けた字幕の後に、文章を追記する場所を示すマーク306をメール作成画面表示領域304に表示する。このマークが表示されたところから、継続してメール文章の追記や、字幕表示領域302に表示された字幕の貼り付けをすることができる。なお、字幕表示領域302に表示されている字幕情報の文字のサイズと、メール作成画面の文字のサイズが異なる場合には、メール作成画面の文字のサイズに変更し表示させる。
【００２０】
「送信」ボタン305が選択されると（S209）、記憶部105に記憶されたメールアドレスのリストを読出し、表示部103の表示画面に表示する。ユーザーがリストの中からメール送信先を選択すると（S210）、作成されたメールを通信部106により送信する（S211）。
【００２１】
以上説明したように、本実施例によれば、放送を視聴しながら、放送データの中に含まれる文字情報を簡単な操作でメール作成に用いることができ、ユーザーの使い勝手を向上することができる。
【００２２】
なお、本実施例では、ユーザーはキー入力部101を操作することによりメールへの字幕の貼り付けを指示したが、ユーザーによる指示方法をこれに限定するものではない。例えば、放送受信端末がスライドする筐体の場合は、スライドを閉じた状態で放送を視聴している際に、ユーザーが端末のスライドを開いた状態にする動作を、貼り付け指示として認識するようにしても良い。また、放送受信端末が折畳み式の筐体の場合は、折畳みを閉じた状態から開いた状態にする動作を貼り付け指示としても良い。このように、スライドあるいは折畳みの開閉等の動作を貼り付け指示と認識することにより、ユーザーはキー操作することなく、簡単な動作で指示を行うことができる。さらに、放送受信端末にタイマーを備え、事前に設定した時間になると、自動的に字幕表示領域の文章をメールに貼り付けようにしても良い。これにより、例えば、毎日決まった時間に放送されるニュースや天気予報等の情報を容易にメール作成に用いることができる。
【００２３】
また、文字情報をメールに貼り付ける場合を例にして説明したが、メールに貼り付ける、あるいは添付する情報を文字情報に限定するものではなく、映像情報をメールに貼付あるいは添付しても良い。例えば、放送視聴モードが起動されると、図4（ａ）に示すように、テレビ表示領域301と字幕表示領域302とともに、「文字貼付」ボタン401と「画像貼付」ボタン402を表示する。この際に、「画像貼付」ボタン402が選択されると、選択されたときにテレビ表示領域301に表示している映像を静止画データとして保存し、保存した静止画データをメールに添付する。そして、図4（ｂ）に示すように、メール作成画面表示領域に添付データがあることを示すメッセージを記入する。これにより、ユーザーはデータがメールに添付されたことを確認することができる。なお、静止画データは、例えばテレビ表示領域301に表示している映像そのものをBMPファイルにしても良いし、ファイル容量が少なくなるように圧縮して、別のJPEGファイルにしても良い。JPEGファイルなどの圧縮ファイルを作成する場合には、放送受信端末にさらに専用の圧縮ファイル生成ハードウェアを設けることにより、圧縮処理を高速化することができる。
【００２４】
また、添付する映像情報は静止画に限られず、動画データを添付するようにしても良い。放送視聴モードが起動されると、例えば図5（ａ）に示すように、メールへの貼付あるいは添付が可能な情報の種類を示す「文字」ボタン501と「静止画」ボタン502、「動画」ボタン503を表示する。ユーザーにより「動画」ボタン503が選択されると、動画データの記録を開始するとともに、図5（ｂ）に示すように、「動画データの記録を開始しました。終了時点で「終了」ボタンを押して下さい」等のメッセージを表示する。このメッセージは数秒間出力しても良いし、「終了」ボタン504が選択されるまで表示しておいても良い。動画データは記憶部105に例えばMPEGファイル等の映像圧縮データとして保存する。「終了」ボタン504が選択されると、例えば図4（ｂ）に示す表示画面を表示し、「送信」ボタン305が選択されると、動画データが添付されたメールを送信する。なお、「中止」ボタン505が選択されると、図5（ａ）に示す表示画面に戻る。
【００２５】
このように動画データをメールに添付して送信することにより、メールを送付する相手が放送受信に対応していない機器を持っている場合であっても、映像情報をメールに添付して送付することにより、文章のみで説明することが困難な場合であっても、容易に情報を伝えることができる。なお、「動画」ボタン503が選択された際に、映像情報だけでなく音声情報も記録し、映像情報と音声情報をメールに添付して送信するようにしても良い。
【００２６】
また、上記実施例では、「送信」ボタン305が選択されると、記憶部105に記憶されたメールアドレスのリストを表示部103の表示画面に表示し、ユーザーがリストの中からメール送信先を選択するようにしたが、送信先の設定方法をこれに限定するものではない。例えば、図6に示すように、キー入力部101の番号キーに対応させて送信先のメールアドレスを事前に登録しておき、番号キーを押すだけで送信先を選択できるようにしても良い。これによれば、アドレスリストを表示部103の画面上に表示する必要がなく、ユーザーの放送視聴を妨げることなく、容易に任意の送信先を選択することができる。また、例えば、数字の「１」のキーを押すごとに、使用頻度順あるいは、あいうえお順、アルファベット順に、「aaa@xxxx.com」、「abc@xxxx.co.jp」のように次々とメール送信アドレスが表示されるようにしても良い。なお、本実施例では、「送信」ボタン305の選択後にメールの送信先を指定するようにしたが、指定方法をこれに限定するものではなく、例えば「貼り付け」ボタンの選択後にメール送信先を指定するようにしても良い。また、放送視聴中にメールを送信する送信先を予め登録しておき、「送信」ボタン305が選択されると、登録された送信先にメールを送信するようにしても良い。このように登録しておくことにより、放送視聴中に送信アドレスの選択をする必要がないため、放送の視聴を妨げられることなく、ユーザーは容易にメールを送信することができる。
【００２７】
また、上記実施例では、「貼り付け」ボタン303が選択されると、メール作成画面表示領域304を画面上に設けるようにしたが、制御方法をこれに限定するものではない。メール作成画面表示領域を画面上に設けると、テレビ表示領域が狭くなり、放送を視聴しにくくなる。そのため、「貼り付け」ボタンが選択されたときに、図3（ｃ）等のように表示画面上にメール作成画面表示領域を表示させるモードの他に、メール作成画面を表示しないモードを設け、ユーザーの使用形態に応じてモードを選択できるようにすることが好ましい。
【００２８】
ユーザーがメール作成画面を表示しないモードを選択した場合、「貼り付け」ボタンが選択された後に、いずれかのキーが入力されると、対応した文面をメール本文に追加してメールを送信できるように制御する。例えば図７に示すように、キー入力部101の番号キーに対応させて、メールの文面と、そのキーが押されたときに直ぐにメールを送信するか否かを登録させておく。例えば、字幕表示領域に 「ただ今地震がありました。」と表示されている場合に「貼り付け」ボタンを選択し、１キーを押下すると、キーに対応した文面がメールに追加され、「ニュースです。ただ今地震がありました。」というメールが作成される。図７の例では、１キーはメール送信ONに設定されているため、作成されたメールは自動的に送信される。
【００２９】
また、字幕表示領域に「砂糖を10g用意して下さい。」と表示されている場合に、２キーを押下すると、「レシピです。砂糖を10g用意して下さい。」というメール文が作成される。２キーはメール送信OFFに設定されているため、作成されたメールはそのまま送信せずに、記憶部105に保存し、次のキー入力を待ち受ける。その後、字幕表示領域に「次に、小麦粉を50g用意して下さい。」と表示されているときに「貼り付け」ボタンを選択すると、字幕文が追加され、メールの本文は、「レシピです。砂糖を10g用意して下さい。次に、小麦粉を50g用意して下さい」となる。その後、０キーの押下や「送信」ボタンが選択されると、作成したメール文を送信する。
【００３０】
これにより、放送の視聴を妨げることなく、容易にメール送ることができる。また、字幕等の放送データだけを送信すると、メールを受信した相手は内容や送信者の意図を理解できない場合がある。上記例では、放送データを送信するだけでなく、相手に「ニュースです。」等の簡単なメッセージを追加してメールを送信することができるため、ユーザーの使い勝手を向上することができる。なお、図７の例では、「文面」を任意のキーに割り当てているが、文面の代わりに、あるいは文面に追加してメールの件名等のメールに追加する情報を登録しても良い。また、文字情報をメールに貼り付ける場合を例にとって説明したが、前述のように、文字情報に限らず画像情報をメールに添付あるいは貼り付けて送信する場合に適用しても良い。
【００３１】
以上の説明では、文字情報や映像情報をメールに添付あるいは貼り付けて送信する場合について説明したが、メール以外を用いて情報を送信するようにしても良い。例えば、メールの変わりにチャット機能などを適用すれば、リアルタイムに放送情報を相手に伝えることができる。
【００３２】
以上、図１〜７を用いて、放送視聴モードを起動させ、放送受信中に受信した放送データを利用してメール作成する場合について説明したが、制御方法をこれに限定するものではない。メール作成モードを起動し、メールを作成しているときに放送データを利用してメールを作成するようにしても良い。以下に、メール作成中に文字情報を受信すると、その情報を表示部の画面上に表示し、ユーザーがメール作成にその情報を用いる方法について説明する。
【００３３】
ユーザー操作によりメール作成モードが起動されると、図8（ａ）に示すようにメール作成画面表示領域801を表示部103の画面上に設ける。ユーザーがメールを作成しているときに、文字情報を含む放送データを受信すると、図8（ｂ）に示すように字幕表示領域903を設け、受信した文字情報を表示する。そして、ユーザーが「貼り付け」ボタン804を選択することにより、図8（ｃ）に示すように文字情報をメールに貼り付ける。
【００３４】
これにより、ユーザーはメール作成中であっても、速報等が生じたときにその情報を知ることができるとともに、容易にその情報を用いてメールを作成することができる。
【００３５】
なお、受信した文字情報がすべて表示されると、ユーザーが煩わしく感じる場合があるため、受信した文字情報の中から所定の情報を選択して表示できるようにすることが好ましい。この場合、例えば「サッカー」や「ニュース速報」等のキーワードを予めユーザーが登録しておき、このキーワードに関係した文字情報を受信したときに、表示部103の画面上に字幕表示領域を設け、文字情報を表示する。これにより、ユーザーが興味のある情報を提供することができる。また、送信先のメールアドレスに対応させてキーワードと登録するようにしても良い。例えば、送信相手の趣味や仕事等、相手に関連したキーワードを登録することにより、送信相手に有用な情報をメールに追加することができる。
【００３６】
また、表示画面に字幕表示領域903を設けるとともに、放送データの映像および音声の出力を指示可能な「放送視聴」ボタンや、音声のみの出力を指示可能な「音声視聴」ボタンを表示させるようにしても良い。これにより、ユーザーが字幕を見て、その放送に興味を持った場合、複雑な操作なしにその放送を視聴することができる。なお、「緊急情報」等の特定種類の情報については、自動的にテレビ表示領域を設け、文字情報だけでなく映像情報と音声情報を出力するようにしても良い。また、文字情報を表示した際に、30秒等の所定時間だけ自動的に音声を出力するようにしても良い。これにより、ユーザーはさらに詳しい情報を確認することができる。
【００３７】
以上説明したように、本実施例によれば、受信した放送データを効率的に利用することができ、ユーザーの使い勝手を向上することができる。
【図面の簡単な説明】
【００３８】
【図１】放送受信端末の構成の一例を示す図である。
【図２】放送視聴中のメール作成処理の一例を示すフローチャートである。
【図３】放送受信端末の画面表示例である。
【図４】放送受信端末の画面表示例である。
【図５】放送受信端末の画面表示例である。
【図６】キーとメールアドレスの対応関係の一例を示す図である。
【図７】キーと本発明の実施例3における記憶部内の事前設定。
【図８】放送受信端末の画面表示例である。
【符号の説明】
【００３９】
101…キー入力部
102…デコード部
103…表示部
104…制御部
105…記憶部
106…通信部
107…チューナー部
301…テレビ表示領域
302、803…字幕表示領域
304、801…メール作成画面表示領域
【図１】
2006262034.tif 000003
【図２】
2006262034.tif 000004
【図３】
2006262034.tif 000005
【図４】
2006262034.tif 000006
【図５】
2006262034.tif 000007
【図６】
2006262034.tif 000008
【図７】
2006262034.tif 000009
【図８】
2006262034.tif 000010